(57)【要約】【課題】  複雑な構成を必要とせず、本体上部のプランターで植物の育成又は観賞が行えるとともに、本体の収納部では物品の収納が可能であって、意匠面においても優れるプランター付き収納家具を提供することにある。【解決手段】  プランター３は、上部開口を有する有底容器状をなすとともに、上部開口の周縁に前後左右方向へ突出するフランジ５を備え、容器状をなす内部に例えばハーブ等の植物Ｈとその保持又は育成のための被収容媒体、例えば培土Ｅ１や鉢Ｅ２が収容される。本体２は、そのプランター３のフランジ５を着座させる上部開口端面６を有し、上側部分において、その容器状のプランター３の全体を没入させる４角筒状の形態をなす。プランター３の底部７より下側の空間が所定の物品を収納する収納部８とされ、その収納部８に対する物品の収納及び取出しのための開口が開閉扉９で開閉される。【選択図】図１
2011229578.tif 000002
【特許請求の範囲】
【請求項１】
上部開口を有する有底容器状をなすとともに、上部開口の周縁に側方へ突出するフランジを備え、容器状をなす内部に植物とその保持又は育成のための被収容媒体が収容されるプランターと、
そのプランターの前記フランジを着座させる上部開口端面を有し、上側部分においてその容器状のプランターの全体を没入させる筒状ないし箱状の形態をなし、前記プランターの底部より下側の空間が所定の物品を収納する収納部とされ、その収納部に対する物品の収納及び取出しのための開口が前板によって開放又は閉鎖状態とされる本体と、を備え、
前記プランターが前記本体の上側部分に没入してその本体の上部開口端面に着座する前記フランジのみが外部に現れ、かつそのフランジの平面的外形、本体の横断面外形が互いに対応する形状とされたことを特徴とするプランター付き収納家具。
【請求項２】
前記本体の上部開口端面を形成する上端外周部が、その本体の横断面外形に対して相似的に縮小された外形の帯状部分とされて、その帯状部分と前記本体の上部外周との境界に環状の肩面が形成され、前記プランターのフランジが前記本体の前記上端外周部の上部開口端面に着座するとき、そのフランジが前記本体の縮小された外形の帯状部分から側方へ突出して前記本体の肩面に対向することにより、それらフランジと肩面との間に前記帯状部分を溝底とする環状溝を形成し、この環状溝は前記フランジに指を掛け、前記プランターを前記本体から取り出すことができるスリットとされる請求項１に記載のプランター付き収納家具。
【請求項３】
前記上部開口端面に前記フランジが着座する前記プランターの上部開口に対し、一定の間隔をおいて対向して前記プランターで保持される植物に照明又は育成のための光を照射する光照射部が設けられ、この光照射部は前記プランターの上部開口面積を被い得る面状の発光部と、その面状の発光部を支持する支持基板部とを備え、その支持基板部の平面的外形は前記プランターの平面的外形と同一又は相似形とされ、その支持基板部が前記本体又は他部材に固定される請求項１又は２に記載のプランター付き収納家具。
【請求項４】
前記光照射部の支持基板部を前記本体に固定するために、前記本体の少なくとも上端後部から上方に延び、その支持基板部の後端部に連結されたステーを備え、前記光照射部はそのステーによって前記本体に固定され、正面視において前記光照射部と前記プランターのフランジとが平行に対向し、それら光照射部とプランターのフランジとの間に少なくとも前方及び左右に開放された空間が生じる請求項３に記載のプランター付き収納家具。
【請求項５】
前記プランターの上部開口に対向する前記光照射部の支持基板部と、前記本体の背面に沿って上下方向にその本体の下端付近まで延びるステーとが、側面視で全体として逆Ｌ字状のスタンドを構成し、このスタンドが前記ステーにおいて前記本体の後部に固定されることにより、前記光照射部が前記プランターの上部開口から浮き上がった状態で支持される請求項４に記載のプランター付き収納家具。
【請求項６】
前記本体の下端を着座させるとともに、その本体を床面から浮き上がらせて支持する脚部を備える請求項１ないし５のいずれか１項に記載のプランター付き収納家具。
【請求項７】
前記プランターの上部開口に対向する前記光照射部の支持基板部と、前記本体の後面に沿って上下方向に前記脚部まで延びるステーと、そのステーの下端から前方に向かって直角に延びる下部延長部とが、側面視で全体としてコの字状のスタンドを構成し、このスタンドが前記ステーにおいて前記本体に固定され、かつ前記下部延長部において前記脚部の内側面に固定されることにより、前記光照射部が前記プランターの上部開口から浮き上がった状態で支持される請求項６に記載のプランター付き収納家具。
【請求項８】
前記プランター付き収納家具が、単数ないし複数組み込まれる設置空間を備えた、より大きな複合収納家具の該設置空間に組み込まれ、その組込み状態で前記プランターの上部開口と、前記複合収納家具の該設置空間の上限を区画する下向きの空間下面との間には一定の間隔が確保され、その複合収納家具の空間下面に、前記プランターの上部開口と平行に前記光照射部が設けられ、この光照射部は前記プランターの上部開口面積を被い得る面状の発光部と、その面状の発光部を支持する前記支持基板部とを備え、その支持基板部が前記複合収納家具の空間下面に固定されている請求項１ないし３のいずれか１項に記載のプランター付き収納家具。
【発明の詳細な説明】
【技術分野】
【０００１】
プランターを支持する本体が、物品を収納する収納部を備えるプランター付き収納家具に関する。
【背景技術】
【０００２】
例えば下記特許文献１の植物観賞ユニットは、室内で植物を観賞する事を目的に、鉢をライトアップする照明装置を備えるとともに、内蔵された循環型の潅水装置によって植物が最適に管理されるものである。その循環型の潅水装置は、鉢底に設置したエアーダクトを通してセラミック土壌に酸素を供給することで根腐れを防止し、エアー導入パイプによって作り出された水溜りと給水リボンによる水の吸上げのシステムによって酸素と水の同時供給を可能にしている。
【０００３】
また、下記特許文献２の植物育成装置は、日光が届かない室内でも植物を育成させるため、赤色光及び青色光を用いたＬＥＤ光源によって光合成をさせるものである。また、土壌を収容した土台を設け、その土台を含む全体を覆うように透明筒状体を設けて、これに通気孔や水を散布するためのシャワー部等を備えるものである。
【先行技術文献】
【特許文献】
【０００４】
【特許文献１】実用新案登録第３１２６３６６号公報
【特許文献２】特開２００４−１１３１６０号公報
【発明の概要】
【発明が解決しようとする課題】
【０００５】
しかしながら、特許文献１の植物観賞ユニットでは、循環型の潅水装置によって植物が最適に管理されるものの内部の構成が複雑になるので、導入するためのコストが高くなることは避け得ない。また装置の高い維持費やメンテナンスも必要になり、一般家庭に設置して気軽に植物の育成や観賞を楽しむことは難しい。
【０００６】
さらに、特許文献２の植物育成装置も、ＬＥＤ光源やシャワー部による植物の育成に特化した装置であり、透明筒状体に覆われているので育成装置としての意味合いが強く、意匠面は決して優れているとは言えない。よって、植物を観賞するため室内に設置するには不向きである。
【０００７】
本発明の課題は、複雑な構成を必要とせず、本体上部のプランターで植物の育成又は観賞が行えるとともに、本体の収納部では物品の収納が可能であって、意匠面においても優れるプランター付き収納家具を提供することにある。
【課題を解決するための手段及び発明の効果】
【０００８】
上記課題を解決するために、本発明のプランター付き収納家具は、
上部開口を有する有底容器状をなすとともに、上部開口の周縁に側方へ突出するフランジを備え、容器状をなす内部に植物とその保持又は育成のための被収容媒体が収容されるプランターと、
そのプランターの前記フランジを着座させる上部開口端面を有し、上側部分においてその容器状のプランターの全体を没入させる筒状ないし箱状の形態をなし、前記プランターの底部より下側の空間が所定の物品を収納する収納部とされ、その収納部に対する物品の収納及び取出しのための開口が前板によって開放又は閉鎖状態とされる本体と、を備え、
前記プランターが前記本体の上側部分に没入してその本体の上部開口端面に着座する前記フランジのみが外部に現れ、かつそのフランジの平面的外形、本体の横断面外形が互いに対応する形状とされたことを特徴とする。
【０００９】
上記プランター付き収納家具は、プランターの上部開口の周縁に、側方へ突出するフランジを備えており、本体の上部は、そのフランジを着座させる上部開口端面を有するため、筒状ないし箱状の本体にプランターを没入させても、プランターは本体に対して確実に固定される。また、プランターの没入時には、フランジの平面的外形及び、本体の横断面外形が互いに対応する形状とされるので、外観がすっきりとしたシンプルな形態とすることができ、本体とプランターとがあたかも一体となった印象を与えて意匠面においても優れる。
【００１０】
また、本体において、プランターの底部より下側の空間が収納部となっており、例えば、キッチン等に設置した場合、調理器具等の物品を収納することができる。さらに、その収納部の開口は、前板で開放又は閉鎖状態とされるように構成されているので、収納部に物品を収納した後、閉鎖状態とすれば物品は外部から視認されることがない。
【００１１】
また、本発明は、前記本体の上部開口端面を形成する上端外周部が、その本体の横断面外形に対して相似的に縮小された外形の帯状部分とされて、その帯状部分と前記本体の上部外周との境界に環状の肩面が形成され、前記プランターのフランジが前記本体の前記上端外周部の上部開口端面に着座するとき、そのフランジが前記本体の縮小された外形の帯状部分から側方へ突出して前記本体の肩面に対向することにより、それらフランジと肩面との間に前記帯状部分を溝底とする環状溝を形成し、この環状溝は前記フランジに指を掛け、前記プランターを前記本体から取り出すことができるスリットとされる構成としてもよい。
【００１２】
このようにすれば、プランターを取り出し後、持ち上げて移動させることもできるので、被収容媒体や植物の入れ替えが容易に行え、また、屋内に設置した場合、プランターのみを屋外に持ち出して、植物を太陽光に当てることができたり、プランターを洗浄することも可能である。また、前板を例えば開閉扉とした場合、そのスリットに使用者の指を入れて、開閉扉を開放させることができる。
【００１３】
また、本発明は、前記本体の上部開口端面に前記フランジが着座する前記プランターの上部開口に対し、一定の間隔をおいて対向して前記プランターで保持される植物に照明又は育成のための光を照射する光照射部が設けられ、この光照射部は前記プランターの上部開口面積を被い得る面状の発光部と、その面状の発光部を支持する支持基板部とを備え、その支持基板部の平面的外形は前記プランターの平面的外形と同一又は相似形とされ、その支持基板が前記本体又は他部材に固定される構成としてもよい。
【００１４】
このようにすれば、本発明を室内で使用する際、光照射部によって、植物観賞のためのライトアップをさせることができる一方、日光が届かない室内であっても、植物を育成することができる。さらに、光照射部が備える支持基板部の平面的外形は、プランターの平面的外形と同一又は相似形とされるため、光照射部のために余計なスペースを確保する必要がなく、限られた少ないスペースでも設置することができるとともに、全体の一体感が向上し、意匠的な効果を得ることができる。
【００１５】
また、本発明は、前記光照射部の支持基板部を前記本体に固定するために、前記本体の少なくとも上端後部から上方に延び、その支持基板部の後端部に連結されたステーを備え、前記光照射部はそのステーによって前記本体に固定され、正面視において前記光照射部と前記プランターのフランジとが平行に対向し、それら光照射部とプランターのフランジとの間に少なくとも前方及び左右に開放された空間が生じる構成としてもよい。
【００１６】
これによれば、光照射部とプランターのフランジとの間に少なくとも前方及び左右に開放された空間が生じるので、その空間を利用してプランターの取り出しが容易に行える。また、プランターを本体に没入させたままでも、プランター内の植物に対して給水や、例えば植物がハーブ等の葉類であれば収穫（採取）といった栽培作業が行いやすくなる。
【００１７】
また、本発明は、前記プランターの上部開口に対向する前記光照射部の支持基板部と、前記本体の背面に沿って上下方向にその本体の下端付近まで延びるステーとが、側面視で全体として逆Ｌ字状のスタンドを構成し、このスタンドが前記ステーにおいて前記本体の後部に固定されることにより、前記光照射部が前記プランターの上部開口から浮き上がった状態で支持される構成としてもよい。
【００１８】
これによれば、本体の設置スペースを大幅に増やすことなく、光照射部を備えることができ、その光照射部がプランターの上部開口から浮き上がった状態で支持されるため、植物に対して効率良く光を照射させて、育成効果の向上を図ることができる。
【００１９】
また、本発明は、前記本体の下端を着座させるとともに、その本体を床面から浮き上がらせて支持する脚部を備えるように構成してもよい。
【００２０】
このようにすれば、脚部によって本体を床面から浮き上がらせることができるので、床面のごみ等が本体に付着しにくく、また本体下方の清掃が行い易い。さらに、脚部を移動可能なキャスターとすれば、自由に設置場所を変更できる。
【００２１】
また、本発明は、前記プランターの上部開口に対向する前記光照射部の支持基板部と、前記本体の後面に沿って上下方向に前記脚部まで延びるステーと、そのステーの下端から前方に向かって直角に延びる下部延長部とが、側面視で全体としてコの字状のスタンドを構成し、このスタンドが前記ステーにおいて本体に固定され、かつ前記下部延長部において前記脚部の内側面に固定されることにより、前記光照射部が前記プランターの上部開口から浮き上がった状態で支持される構成としてもよい。
【００２２】
このようにすれば、スタンドがステーと下部延長部とで本体に固定されるのでより確実に固定される。また、下部延長部は、脚部の内側面に隠れるので、外形をよりシンプルに見せることができ、意匠的な美感も向上する。
【００２３】
また、本発明は、前記プランター付き収納家具が、単数ないし複数組み込まれる設置空間を備えた、より大きな複合収納家具の該設置空間に組み込まれ、その組込み状態で前記プランターの上部開口と、前記複合収納家具の該設置空間の上限を区画する下向きの空間下面との間には一定の間隔が確保され、その複合収納家具の空間下面に、前記プランターの上部開口と平行に前記光照射部が設けられ、この光照射部は前記プランターの上部開口面積を被い得る面状の発光部と、その面状の発光部を支持する前記支持板部とを備え、その支持基板部が前記複合収納家具の空間下面に固定されている構成としてもよい。
【００２４】
これによれば、本発明は、より大きな複合収納家具と組み合わせることができるので、使用者の用途に合わせて自由度の高い設置が可能になる。また、その組み込み状態では、プランターの上部開口と、複合収納家具の該設置空間の上限を区画する下向きの空間下面との間には一定の間隔が確保されるので、プランターの取り出しや、給水、収穫といった栽培作業が容易に行える。また、光照射部の支持基板部が複合収納家具の空間下面に固定されるので、植物に対して効率よく光を照射することができ、育成効果が高まる。
【００２５】
また、本発明は、前記プランターのフランジの平面的外形、前記本体の横断面外形及び前記脚部の平面的外形が互いに対応する形状とされ、かつ、前記本体の下端面直近の下端外周部が、前記本体の横断面外形に対して相似的に縮小された外形の帯状部分とされて、その帯状部分と前記本体の下部外周との境界に環状の下側肩面が形成され、前記本体の下端が前記脚部に着座するとき、その脚部と前記下側肩面との間に前記帯状部分を溝底とする環状溝又は部分的な環が生じる構成としてもよい。
【００２６】
このようにすれば、脚部が設けられたとしても、この環状溝によって、本体を浮き上がらせるような印象を使用者に与えることができ、また、シンプルな外形上のアクセントとすることができる。
【図面の簡単な説明】
【００２７】
【図１】本発明のプランター付き収納家具の斜視図。
【図２】図１の（ａ）正面図、（ｂ）右側面図、（ｃ）平面図、（ｄ）底面図。
【図３】図２（ｃ）のＡ−Ａ断面図。
【図４】図１のプランター付き収納家具に設けられた開閉扉の開放状態を示す斜視図。
【図５】図１の分解斜視図。
【図６】（ａ）本発明のプランター付き収納家具の使用状態を示す右側面図。（ｂ）（ａ）の培土を鉢に変更した例を示す右側面図。
【図７】光照射部を備えたプランター付き収納家具の斜視図。
【図８】図７の（ａ）正面図、（ｂ）右側面図、（ｃ）平面図、（ｄ）底面図。
【図９】図８（ａ）のＢ−Ｂ断面図及びそのＣ−Ｃ部分拡大図。
【図１０】図８（ｃ）のＤ−Ｄ断面図及びそのＥ−Ｅ部分拡大図。
【図１１】図７のプランター付き収納家具とスタンドの分解斜視図。
【図１２】光照射部を備えたプランター付き収納家具の使用状態を示す右側面図。
【図１３】複合収納家具に組み込まれたプランター付き収納家具の斜視図。
【図１４】図１３の（ａ）正面図、（ｂ）右側面図、（ｃ）平面図、（ｄ）底面図。
【図１５】図１４（ａ）のＦ−Ｆ断面図及びそのＧ−Ｇ部分拡大図。
【図１６】光照射部の取り付け状態を示す分解斜視図。
【図１７】プランターを前方に取り出す例を示す斜視図。
【図１８】収納部に引出しを備える例を示す斜視図。
【図１９】脚部をキャスターに変更した例を示す斜視図。
【図２０】脚部を設けない例を示す斜視図。
【図２１】プランターの代わりに天板を使用する例を示す斜視図。
【発明を実施するための形態】
【００２８】
（実施例１）
以下、本発明の実施例の形態を図面を参照しつつ説明する。図１は、本発明のプランター付き収納家具１の斜視図である。図２は、図１の（ａ）正面図、（ｂ）右側面図、（ｃ）平面図、（ｄ）底面図をそれぞれ示している。図３は、図２（ｃ）のＡ−Ａ断面図。図４は、図１のプランター付き収納家具に設けられた開閉扉９の開放状態を示す斜視図。図５は、図１の分解斜視図である。図６（ａ）は、本発明のプランター付き収納家具の使用状態を示す右側面図。図６（ｂ）は、（ａ）の培土Ｅ１を鉢Ｅ２に変更した例を示す右側面図を示している。
【００２９】
図１〜図６に示すように、プランター付き収納家具１は、本体２と、プランター３と、脚部４とで構成される。プランター３は、上部開口を有する有底容器状をなすとともに、上部開口の周縁に前後左右方向へ突出するフランジ５を備え、容器状をなす内部に例えばハーブ等の植物Ｈとその保持又は育成のための被収容媒体、例えば培土Ｅ１が収容される（図６参照）。本体２は、そのプランター３のフランジ５を着座させる上部開口端面６（図５参照）を有し、上側部分においてその容器状のプランター３の全体を没入させるため、４角筒状の形態をなしている。本体２は、使用者が立って使い易いよう約９０ｃｍ程度とされる（脚部を含めると約１１０ｃｍ程度）。本体２において、プランター３の底部７より下側の空間が所定の物品を収納する収納部８とされ、その収納部８に対する物品の収納及び取出しのための開口が前板を兼ねる開閉扉９で開閉される。脚部４は、本体２の下端（本体下面１２）を着座させるとともに、その本体２を床面から浮き上がらせて支持する。
【００３０】
図５に示すように、より具体的には、脚部４は、薄板のフレームが連続的に繋がって、全体が一体成形された例えば高さ約１５ｃｍ程度の架台とされている。脚部４の底面には、高さ調節のためのアジャスタ１９が設けられる（図２も参照）。また、脚部４の上部には、本体２の横断面外形である４角形状に対し、相似的に縮小された形状であって、上方に突設された四角枠状の脚部内枠１０が設けられる。この脚部内枠１０の四隅に内接するように、本体取付部１１がそれぞれ形成される。そして、本体２の下端である本体下面１２が、脚部内枠１０及び本体取付部１１の上面に着座する。この状態で、本体下面１２及びそれぞれの本体取付部１１に対して、例えばナゲシねじ等のビス１３が上方から挿通されることにより、本体２と脚部４とが固定される。
【００３１】
なお、本体２と脚部４が固定された後、脚部内枠１０の外側面には、薄板状の化粧プレート２０がそれぞれ貼着される。これにより、意匠的な美感を向上させることができる。
【００３２】
本体２は、例えば表面がステンレス等の金属であり、基材がチップボード等の木材からなる４角筒状の形態をなしている。本体２の前面側は、収納部８に対する物品の収納及び取り出しのための開口となっており、本体２の左内側面の前方縁には、ヒンジ１４が高さ方向へ直線状に例えば３つ取り付けられ、本体２の前板を兼ねる開閉扉９がこのヒンジ１４によって開閉自在とされている。
【００３３】
また、収納部８には、例えば木板からなる棚板１５が３枚と、その棚板１５を支持する棚板固定部材１６が取り付けられる（特に図３参照）。これにより、収納部８の収納スペースを無駄なく有効的に利用することができる。なお、棚板１５は、棚板固定部材１６と、本体２の左内側面に高さ方向へ直線状に形成された複数の固定孔１７とによって、取り付け位置を適宜調整できる。
【００３４】
また、本体２は、プランター３が本体２の上側部分に没入、すなわち上方から取り付けられた際、その本体２の上部開口端面６に着座するフランジ５のみが外部に現れ、かつそのフランジ３の平面的外形である４角形状と、本体２の横断面外形である４角形状とが互いに対応する形状とされている。
【００３５】
さらに、本体２の上部開口端面６を形成する上端外周部２２が、その本体２の横断面外形である４角形状に対して相似的に縮小された外形の帯状部分とされて、その帯状部分と本体２の上部外周との境界に環状の肩面２６が形成される。そして、プランター３のフランジ５が本体２の上部開口端面６に着座するとき、そのフランジ５が本体２の縮小された外形の帯状部分から側方へ突出して本体２の肩面２６に対向することにより、それらフランジ５と肩面２６との間に帯状部分を溝底とする環状溝であるスリット、すなわち上部スリット２３が生じる。この上部スリット２３に、使用者の指を入れてフランジ５に指を掛け、プランター３を本体２の上方へ取り出すことができる（図５参照）。また、上部スリット２３によって、肩面２６を兼ねる開閉扉９上面の扉上面部３９に指を乗せて、開閉扉９を手前に開放させることができる（図４参照）。
【００３６】
また、プランター３のフランジ５の平面的外形、本体２の横断面外形である４角形状及び脚部４の平面的外形である４角形状が互いに対応する形状とされ、かつ、本体２の下端面直近の下端外周部２５が、本体２の横断面外形に対して相似的に縮小された外形の帯状部分とされる。その帯状部分と本体２の下部外周との境界に環状の下側肩面２７が形成され、本体２の下端が脚部４に着座するとき、その脚部４と下側肩面２７との間に帯状部分を溝底とする環状溝又は部分的な環が生じる。この環状溝が下部スリット２４とされて、この下部スリット２４を意匠面においてシンプルな外形上のアクセントとすることができる。また、脚部４が設けられても、本体２を浮き上がらせるような印象を使用者に与える。
【００３７】
なお、本体２の前面側上部には、前面プレート１８が設けられている。これにより、プランター３が本体２に取り付けられた際、例えば図４のように開閉扉９を開放状態としても、プランター３のフランジ５以外の部分が露出することがない。よって、例えば培土Ｅ１や植物Ｈが収容されるプランター３を意識することなく、使用者は収納部８を利用することができ、収納家具としての機能を十分に満たし、使用者の満足度が増す。
【００３８】
図６に示すように、プランター付き収納家具１は、高さが例えば１１０ｃｍ程度であって上方に延びる縦長の形態とされるため、従来の床に置く低いプランター付き収納家具とは使用方法が大きく異なる。つまり、プランター付き収納家具１は、上記のような高さ設定とされるため、使用者が立ったまま使用することができ、例えば、植物Ｈ（ハーブ等）が摘み取り易く、培土Ｅ１の入れ替えや給水等の栽培作業も容易に行える。また、プランター３の位置も従来のものに比べ高い位置に取り付けられるため、ソファーやテーブルが室内に存在しても、それらに植物が隠れることなく、観賞を楽しむことができる。
【００３９】
なお、被収容媒体として培土Ｅ１を用いる例を説明したが、図６（ｂ）に示すように、例えば植物を植えるための鉢Ｅ２を使用することも可能であり、その場合は、プランター３の中に鉢Ｅ２を複数収容されるようにしてもよい。
【００４０】
（実施例２）
以下、別の実施例の形態を図面を参照しつつ説明する。図７は、光照射部４０を備えたプランター付き収納家具１の斜視図。図８は、図７の（ａ）正面図、（ｂ）右側面図、（ｃ）平面図、（ｄ）底面図をそれぞれ示している。図９は、図８（ａ）のＢ−Ｂ断面図及びそのＣ−Ｃ部分拡大図。図１０は、図８（ｃ）のＤ−Ｄ断面図及びそのＥ−Ｅ部分拡大図。図１１は、図７のプランター付き収納家具１とスタンド４４の分解斜視図である。図１２は、光照射部４０を備えたプランター付き収納家具１の使用状態を示す右側面図である。
【００４１】
図７〜１１に示す、プランター付き収納家具１は、光照射部４０を備えており、実施例１と共通する部分については共通の符号を付して説明を省略し、実施例１との相違点のみ説明する。
【００４２】
まず、概略として図７〜１０に示すように、本体２の上部開口端面６にフランジ５が着座するプランター３の上部開口に対し、一定の間隔をおいて対向してプランター３で保持される植物Ｈに、照明又は育成のため周知のＬＥＤ（発光ダイオード）３０を用いて光を照射する箱状の光照射部４０が設けられる。この光照射部４０は、プランター３の上部開口面積を被い得る４角面状の発光部４１と、その４角面状の発光部４１を支持する支持基板部４２とを備える。光照射部４０の詳細については後で説明する。支持基板部４２の平面的外形は、プランター３の平面的外形である４角形状と同一とされ、その支持基板部４２が、ステー４３に固定される。
【００４３】
ステー４３は、光照射部４０の支持基板部４２を本体２に固定するために、本体２の上端後部から上方に延び、その支持基板部４２の後端部に連結されている。光照射部４０は、そのステー４３によって本体２に固定され、正面視において光照射部４０とプランター３のフランジ５とが平行に対向し、それら光照射部４０とプランター３のフランジ５との間が、例えば約４０ｃｍ程度確保される。これにより、前方及び左右に開放された空間である栽培空間Ｓが生じる。
【００４４】
図１１に示すように、より具体的には、プランター３の上部開口に対向する光照射部４０の支持基板部４２と、本体２の背面に沿って上下方向に脚部４まで延びる２本のステー４３、４３とが、側面視で全体として逆Ｌ字状の例えばステンレス製のスタンド４４を構成する。このスタンド４４がステー４３、４３において本体２の後部に固定されることにより、光照射部４０がプランター３の上部開口から浮き上がった状態で支持されて栽培空間Ｓを形成する。
【００４５】
図１２に示すように、光照射部４０が設けられていても、栽培空間Ｓによって、例えばプランター３の取り外し・取り付けが容易となったり、ハーブ等の植物Ｈの摘み取り、培土Ｅ１や鉢Ｅ２の入れ替え、給水等、様々な栽培作業の効率を高めることができる。また、ステー４３は、支持基板部４２の後端部に設けられても前端部には設けられないので、開放感を与えるといった意匠的な効果も期待できる。
【００４６】
図１１に戻り、スタンド４４の２本のステー４３、４３の下端には、そこから前方に向かって直角に延びる下部延長部とされる薄板状のステー取付部４５、４５がそれぞれ形成されている。これにより、ステー取付部４５と、ステー４３と、支持基板部４２とが、側面視で全体としてコの字状のスタンド４４として構成されている。そのステー取付部４５、４５には、ステー挿通孔４６がそれぞれ設けられている。そして、スタンド４４を本体２に固定する際、ステー取付部４５、４５が脚部４の内方に進入し、ステー取付部４５の外側面は、脚部４の内側面と当接する。この状態で、ステー挿通孔４６と脚部４に形成された脚部挿通孔４７を介して、例えばトラス小ねじ等のビス４８によって固定され、光照射部４０がプランター３の上部開口から浮き上がった状態で支持される。
【００４７】
さらに、ステー４３は、本体２の上部スリット２３に固定金具４９を用いて、例えばバインドタッピンねじ等のビス５０により固定される。このようにすれば、固定するための部材が少なくても、スタンド４４を本体２へ確実に固定することができる。また、ステー取付部４５は、脚部４の内方に隠れるため、プランター付き収納家具１における外観上の美感を損なうことがない。
【００４８】
光照射部４０について詳しく説明する。図９、１０に特に示されるように、光照射部４０は箱状の形態をなしており、その下面に四角面状の発光部４１が設けられる。その発光部４１は、青色光及び赤色光を主成分とする例えば２００個以上の非常に多数のＬＥＤ３０群で構成される。周知のとおり、青色光及び赤色光の混合光源は、植物の育成に適しており、太陽光が当たりにくい室内でも光合成をさせることができる。よって、例えばキッチンやリビングにこのプランター付き収納家具１を設置しても植物の育成を行うことができ、また、光源はＬＥＤ３０であるから発熱が少なく、植物Ｈへのダメージも少ない。
【００４９】
また、光照射部４０は、上記のような植物Ｈの育成のために使用されるだけに限定されず、例えば、植物Ｈに対する観賞のためのライトアップとしても使用することができる。
【００５０】
また、発光部４１に設けられたＬＥＤ３０群の点灯・消灯の切り替えを行う電源スイッチ５３が発光部４１の前面側に設けられる。さらに、図１１に示すように、光照射部４０の電圧１００Ｖの電源コード５１は、ステー４３の内方を伝ってステー４３の下端より引き出され、設置場所の例えば壁面等のコンセントに接続されて光照射部４０に電力が供給される。
【００５１】
以上の実施例１及び２のプランター付き収納家具１は、単独でも複数でも実施することができ、複数実施する場合は互いに近接させて並べて実施する。これにより、プランター３や収納部８を複数使用することができたり、意匠性を重視して自由なレイアウトを楽しむことができる。
【００５２】
（実施例３）
以下、さらに別の実施例の形態を図面を参照しつつ説明する。図１３は、複合収納家具６０に組み込まれたプランター付き収納家具１の斜視図。図１４は、図１３の（ａ）正面図、（ｂ）右側面図、（ｃ）平面図、（ｄ）底面図をそれぞれ示している。図１５は、図１４（ａ）のＦ−Ｆ断面図及びそのＧ−Ｇ部分拡大図。図１６は、光照射部４０の取り付け状態を示す分解斜視図である。
【００５３】
図１３〜１６に示す、プランター付き収納家具１は、複合収納家具６０に組み込まれており、実施例１及び２と共通する部分については共通の符号を付して説明を省略し、実施例１及び２との相違点のみ説明する。
【００５４】
まず、概略として図１３〜１６に示すように、プランター３を支持する本体２及びその本体２を支持する脚部４を含むプランター付き収納家具１が、組み込まれる設置空間Ｔを備えた、より大きな複合収納家具６０の設置空間Ｔに組み込まれる。その組込み状態でプランター３の上部開口と、複合収納家具６０の設置空間Ｔの上限を区画する下向きの空間下面との間には一定の間隔として、３０ｃｍ〜１００ｃｍの範囲で設定可能とされ、例えば約４０ｃｍ程度が確保され、その複合収納家具６０の空間下面に、プランター３の上部開口と平行に光照射部４０が設けられる。この光照射部４０はプランター３の上部開口面積を被い得る四角面状の発光部４１と、その四角面状の発光部４１を支持する支持基板部４２とを備え、その支持基板部４２が複合収納家具６０の空間下面に固定されている。
【００５５】
図１３、１４に示すように、より具体的には、複合収納家具６０は、例えばカップボードや棚等の多種多様な収納家具が集められた家具ユニットである。本実施例の複合収納家具６０は、その上段や中段に、例えば前面に開閉式の扉を有する収納家具６１と、下段に引出しを有する収納家具６２とで構成されている。
【００５６】
また、複合収納家具６０の脚部６３は、プランター付き収納家具１の脚部４と同一の高さとされ、その形態もプランター付き収納家具１の脚部４と、左右方向においてのみ長さが異なるものの、同じく薄板のフレームが連続的に繋がって、全体が一体成形された架台とされている。
【００５７】
プランター付き収納家具１が組み込まれる設置空間Ｔは、複合収納家具６０の中央に設けられる。その設置空間Ｔは、複合収納家具６０上段の開閉式の扉を有する収納家具６１の下面から床面までであり、高さは例えば約１６０ｃｍ程度とされている。そして、その設置空間Ｔにプランター付き収納家具１が例えば２つ並列に組み込まれる。
【００５８】
複合収納家具６０は、平面視で、プランター付き収納家具１の奥行き方向の長さと同一とされている。よって、設置空間Ｔにプランター付き収納家具１が組み込まれても、プランター付き収納家具１を含む複合収納家具６０全体のシルエットは、凹凸が少なく統一感のあるスマートな印象を使用者に与えることができる。
【００５９】
図１６に示すように、光照射部４０は、複合収納家具６０上段の開閉式の扉を有する収納家具６１の下面に設けられる。光照射部４０は、プランター３の上部開口と平行になっている。光照射部４０の取り付け時は、例えば照明カバー等の箱状の支持基板部４２が例えばバインドタッピンねじ等のビス６８によって取り付けられる。そして、青色光及び赤色光を主成分とする多数のＬＥＤ３０群で構成される四角面状の発光部４１が、支持基板部４２の内方に形成された発光部取付スペース５５へ収まるように、下方から上方に向かって組み合わされ、同じくビス６９によって取り付けられる。なお、光照射部４０は、必ずしもプランター３の上部開口と平行に設ける必要はなく、植物Ｈの位置に合わせて例えば、傾斜させて設置することも可能である。
【００６０】
また、発光部４１に設けられたＬＥＤ３０群の点灯・消灯の切り替えを行う電源スイッチ５３が発光部４１の前面側に設けられる。さらに、光照射部４０の電源コード５１は、複合収納家具６０より引き出され、設置場所の例えば壁面等のコンセントに接続されて光照射部４０に電力が供給される。
【００６１】
以上で説明したプランター付き収納家具１の変形例を説明する。なお、以下で説明する変形例は、光照射部４０やスタンド４４の有無に関係なく適用できるものとする。
【００６２】
図１７に示すように、プランター付き収納家具１は、プランター３を上方に取り出すだけではなく、前方へ取り出すように構成することもできる。その場合は、本体２に前面プレート１８が設けられないで、開閉扉９を開放状態として、上部スリット２３に使用者の指を入れ、フランジ５を持ちながらプランター３を前方へ取り出す。
【００６３】
また、収納部８は棚板１５が取り付けられて、本体２の開閉扉９によって開閉される例を説明したが、図１８に示すように、収納部８に棚板１５や開閉扉９が設けられず、代わりに引出しレール８１によって前後方向へ引き出し可能な引出し８０が、本体２に備えられるように構成することもできる。この場合、引出し８０によって収納部８が利用可能になり、物品の収納や取り出しが行える。このようにすれば、収納部８の後方側（奥側）に物品を収納しても前方に引き出されるので、物品を取り出し易い。なお、引出し８０は前面側に前板９０が設けられ、本体２における前板を兼ねる。
【００６４】
以上の全ての実施例では、薄板のフレームが連続的に繋がった脚部４が、本体２に対して架台とされている例を説明したが、図１９に示すように、この脚部４を移動可能な周知のキャスター７０に変更して実施してもよい。このようにすれば、プランター付き収納家具１は移動可能となって、例えばキッチン、リビング、窓際等に設置可能となるため使用者の自由度が増す。
【００６５】
図２０に示すように、プランター付き収納家具１は、脚部４やキャスター７０を設けることなく本体２を直接床等に設置させることもできる。このようにすれば、脚部４が設けられない分、省コスト化を図ることができる。
【００６６】
図２１に示すように、プランター３を使用しない場合は、代わりに板状の天板８２を本体２の上部へ取り付けることができる。このようにすれば、例えばキッチンにプランター付き収納家具１を設置するのであれば、調理器具や皿等、また花瓶等も天板８２上に置くことができ、作業台を兼ねる収納家具として使用することができる。その際も、天板８２の周縁に前後左右方向へ突出するフランジ５が上部開口端面６に着座し、フランジ５の平面的外形と本体２の横断面外形が対応する。
【００６７】
また、以上の全ての実施例では、プランター付き収納家具１を、使用者の身長に合わせて、高さ７５ｃｍ〜１２０ｃｍの範囲で適宜設定することが可能である。このようにすれば、立ったままでプランターを使用することができる。
【００６８】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００６９】
１  プランター付き収納家具
２  本体
３  プランター
４  脚部
５  フランジ
６  上部開口端面
７  底部
８  収納部
９  開閉扉（前板）
２２  上端外周部
２３  上部スリット（環状溝；スリット）
２４  下部スリット
２５  下端外周部
２６  肩面
２７  下側肩面
３９  扉上面部（肩面）
４０  光照射部
４１  発光部
４２  支持基板部
４３  ステー
４４  スタンド
４５  ステー取付部（下部延長部）
６０  複合収納家具
Ｈ  植物
Ｅ１  培土（被収容媒体）
Ｅ２  鉢（被収容媒体）
Ｓ  栽培空間（前方及び左右に開放された空間）
Ｔ  設置空間
【図１】
2011229578.tif 000003
【図２】
2011229578.tif 000004
【図３】
2011229578.tif 000005
【図４】
2011229578.tif 000006
【図５】
2011229578.tif 000007
【図６】
2011229578.tif 000008
【図７】
2011229578.tif 000009
【図８】
2011229578.tif 000010
【図９】
2011229578.tif 000011
【図１０】
2011229578.tif 000012
【図１１】
2011229578.tif 000013
【図１２】
2011229578.tif 000014
【図１３】
2011229578.tif 000015
【図１４】
2011229578.tif 000016
【図１５】
2011229578.tif 000017
【図１６】
2011229578.tif 000018
【図１７】
2011229578.tif 000019
【図１８】
2011229578.tif 000020
【図１９】
2011229578.tif 000021
【図２０】
2011229578.tif 000022
【図２１】
2011229578.tif 000023